(57)【要約】【課題】カセットコンロ本体をカセットボンベと共に安全な状態で収容可能なカセットコンロ収納ケースを提供する。【解決手段】カセットコンロＣを収納するカセットコンロ収納ケース１として、カセットコンロ本体Ｃ１を収容するカセットコンロ本体収容スペース２Ｓａと、カセットボンベＣ３を収容するカセットボンベ収容スペース２Ｓｂとを相互に隣接する位置に設定した内部空間２Ｓを有するケース本体２と、カセットコンロ本体収容スペース２Ｓａに対して仕切られていないカセットボンベ収容スペース２ＳｂにおいてカセットボンベＣ３に巻付具４２を巻き付けた状態で固定可能なカセットボンベ固定部４とを備えた構成を考案した。【選択図】図３
0003226147.tif 000002
【実用新案登録請求の範囲】
【請求項１】
カセットコンロ本体に設けたボンベ収容部にカセットボンベをセットすることで調理用器として使用可能なカセットコンロを収納するケースであって、
前記カセットコンロ本体を収容するカセットコンロ本体収容スペースと、前記カセットボンベを収容するカセットボンベ収容スペースとを相互に隣接する位置に設定した内部空間を有するケース本体と、
前記カセットコンロ本体収容スペースに対して仕切られていない前記カセットボンベ収容スペースにおいて前記カセットボンベの周囲に巻付具を巻き付けた状態で固定可能なカセットボンベ固定部とを備えていることを特徴とするカセットコンロ収納ケース。
【請求項２】
前記カセットボンベ固定部によって固定した前記カセットボンベを外部から視認可能な窓部を前記ケース本体に設けている請求項１に記載のカセットコンロ収納ケース。
【請求項３】
前記カセットボンベ固定部は、前記ケース本体の側面に設けた第１面ファスナと、前記ケース本体の底面のうち前記カセットボンベ収容スペースに配置され且つ前記ケース本体の前記側面の下端に一端部のみが固定された前記巻付具である巻付用布と、前記巻付用布のうち自由端である他端側に設けた第２面ファスナとを備え、前記巻付用布によって前記カセットボンベを巻き付けた状態で前記第２面ファスナを前記第１面ファスナに係合可能なものである請求項１または２に記載のカセットコンロ収納ケース。
【考案の詳細な説明】
【技術分野】
【０００１】
本考案は、カセットコンロを収納可能なケースに関するものである。
【背景技術】
【０００２】
従来より、屋内の卓上や野外で調理する際に用いられるカセットコンロが知られている。カセットコンロは、カセットコンロ本体にカートリッジ式のガスボンベ容器をセットした状態で使用されるものである。
このようなカセットコンロを持ち運ぶ時や片付けておく時に一時的に収納可能な専用キャリングケース付きのカセットコンロも知られている（例えば、非特許文献１参照）
【先行技術文献】
【特許文献】
【０００３】
【非特許文献１】『“カセットフー”カセットこんろ  総合カタログ（カセットこんろ・ミルサーなど）』（特に、９頁中段），インターネット，＜URL：http://www.i-cg.jp/support/catalog/digital/2019sougou_cata/top.html＞、２０２０年１月２９日現在
【考案の概要】
【考案が解決しようとする課題】
【０００４】
ところで、上述の専用キャリングケースは、特定のカセットコンロをがたつきのない状態で収納可能な形状にブロー成型されたケースであるため、少しでも形状が異なるカセットコンロは収納対象外になる。
【０００５】
また、上述の専用キャリングケースは、カセットコンロ本体の形状に合わせてブロー成型されたケースであり、ガスボンベの収容スペースはない。したがって、この専用キャリングケースでカセットコンロを持ち運んだり、片付けておく時には、ガスボンベを一緒のケース内に収納することはできない。
なお、ガスボンベをカセットコンロ本体にセットした状態で上述の専用キャリングケースに収容することは可能であるものの、ガスボンベをカセットコンロ本体にセットした状態で保管しておくと、点火レバーや点火つまみが不意に動いた場合にガス漏れや引火の可能性があり、危険である。
【０００６】
本考案は、このような点に着目してなされたものであって、主たる目的は、カセットコンロ本体をカセットボンベと共に安全な状態で収容可能なカセットコンロ収納ケースを提供することにある。
【課題を解決するための手段】
【０００７】
すなわち、本考案に係るカセットコンロ収納ケースは、カセットコンロ本体に設けたボンベ収容部にカセットボンベをセットすることで調理用器として使用可能なカセットコンロを収納するケースであって、カセットコンロ本体を収容するカセットコンロ本体収容スペースと、カセットボンベを収容するカセットボンベ収容スペースとを相互に隣接する位置に設定した内部空間を有するケース本体と、カセットコンロ本体収容スペースに対して仕切られていないカセットボンベ収容スペースにおいてカセットボンベに巻付具を巻き付けた状態で固定可能なカセットボンベ固定部とを備えていることを特徴としている。
【０００８】
このような本考案に係るカセットコンロ収納ケースであれば、ケース本体の内部空間に設定したカセットコンロ本体収容スペースにカセットコンロ本体を収容することができ、カセットコンロ本体の収容時にカセットコンロ本体から取り外したカセットボンベをカセットボンベ収容スペースに収容することができ、同じケース内にカセットコンロ本体とカセットボンベを一緒に収納した状態でカセットコンロを持ち運んだり、片付けておくことができる。特に、本考案に係るカセットコンロ収納ケースであれば、カセットコンロ本体収容スペースとカセットボンベ収容スペースを相互に仕切らずに、カセットコンロ本体収容スペースを比較的自由な空間にすることで、カセットコンロ本体収容スペースに収容可能なカセットコンロ本体の種類は１種類に特定されず、特定のカセットコンロ本体のみを収容可能な専用ケースと比較して、汎用性が高いというメリットもある。さらに、本考案に係るカセットコンロ収納ケースであれば、カセットボンベ収容スペースにおいてカセットボンベに巻付具を巻き付けた状態で固定可能なカセットボンベ固定部を備えているため、カセットボンベがケース本体の内部空間において転がらない状態で固定することができ、収納状態におけるカセットボンベの安全性の確保という面においても優れている。
【０００９】
本考案に係るカセットコンロ収納ケースにおいて、カセットボンベ固定部で固定したカセットボンベを外部から視認可能な窓部をケース本体に設けると、ユーザは、窓部を覗くことで、カセットボンベがケース内に収納されているか否かを容易に把握することができる。
【００１０】
本考案におけるカセットボンベ固定部の好適な一例としては、ケース本体の側面に設けた第１面ファスナと、ケース本体の底面のうちカセットボンベ収容スペースに配置され且つケース本体の前記側面の下端に一端部のみが固定された巻付用布と、巻付用布のうち自由端である他端側に設けた第２面ファスナとを備え、巻付用布によってカセットボンベを巻き付けた状態で第２面ファスナを第１面ファスナに係合可能なものを挙げることができる。このようなカセットボンベ固定部であれば、簡単な構成でありながらカセットボンベに巻き付けた状態にある巻付用布を面ファスナ同士の係合によってケース本体の側面に固定することができるとともに、面ファスナ同士の係合を解除することでカセットボンベに対する巻付用布の巻付状態も容易に解除することができ、カセットボンベの収容作業及び取出作業を容易且つスムーズに行うことができる。
【考案の効果】
【００１１】
本考案によれば、ケース本体の内部空間に設定したカセットコンロ本体収容スペースとカセットボンベ収容スペースにそれぞれカセットコンロ本体とカセットボンベを収容することが可能であり、カセットコンロ本体をカセットボンベと共に安全な状態で収容可能なカセットコンロ収納ケースを提供することができる。
【図面の簡単な説明】
【００１２】
【図１】本考案の一実施形態に係るカセットコンロ収納ケースの全体外観図。
【図２】同実施形態に係る開放状態のカセットコンロ収納ケースの要部外観図。
【図３】同実施形態におけるカセットボンベ固定部によるカセットボンベの固定方法を示す図。
【図４】同実施形態に係るカセットコンロ本体固定部の一例を示す図。
【考案を実施するための形態】
【００１３】
以下、本考案の一実施形態に係るカセットコンロ収納ケース１を、図面を参照して説明する。
【００１４】
本実施形態に係るカセットコンロ収納ケース１は、図１及び図２等に示すように、全体として直方体状をなすケース本体２を備え、ケース本体２を構成する六面のうち上面に相当する蓋部２１によってケース本体２の内部空間２Ｓを開閉可能に構成されている。
【００１５】
ケース本体２は、蓋部２１によって内部空間２Ｓを閉じた状態で蓋部２１に対面する底部２２と、底部２２の四辺に相当する４つの端縁から起立する起立壁部２３,２４,２５,２６（側面）とを備え、これら底部２２及び起立壁部２３,２４,２５,２６によって区切られる内部空間２Ｓを、蓋部２１によって開閉することが可能である。ケース本体２の底部２２、起立壁部２３,２４,２５,２６及び蓋部２１は、何れも例えばポリエステルを用いた生地であり、何れも平板状をなしている。ケース本体２は、蓋部２１の外縁である４つの辺と起立壁部２３,２４,２５,２６との接続箇所のうち、蓋部２１の１辺のみを着脱不能に起立壁部２６に接続し、残りの３辺をファスナ２７（図示例ではダブルファスナ）によって着脱可能に起立壁部２３,２４,２５に接続している。図１及び図２等ではファスナ２７を設けた接続箇所（ファスナライン２７Ｌ）を相対的に太い線で示している。
【００１６】
起立壁部２３,２４,２５,２６のうち１つの起立壁部２３には窓部２８を設けている。窓部２８は、透明または半透明の素材から形成され、この窓部２８を通じてケース本体２の外部からケース本体２の内部空間２Ｓを覗くことができる。また、起立壁部２３,２４,２５,２６のうち２つ以上の起立壁部（図示例では３つの起立壁部２３,２４,２５）には取手３を設けている。したがって、ユーザは何れかの取手３に手を掛けた状態でカセットコンロ収納ケース１を持ち運ぶことができる。
【００１７】
ケース本体２の内部空間２Ｓには、図２及び図３に示すように、カセットコンロ本体Ｃ２を収容するカセットコンロ本体収容スペース２Ｓａと、カセットボンベＣ４を収容するカセットボンベ収容スペース２Ｓｂとを相互に隣接する位置に設定している。また、本実施形態に係るカセットコンロ収納ケース１は、カセットボンベ収容スペース２ＳｂにおいてカセットボンベＣ４に巻付具４２を巻き付けた状態で固定可能なカセットボンベ固定部４を備えている。
【００１８】
カセットボンベ固定部４は、図３に示すように、ケース本体２の側面に設けた第１面ファスナ４１と、ケース本体２の底面（底部２２）のうちカセットボンベ収容スペース２Ｓｂに配置された巻付用布４２と、巻付用布４２の所定部分に設けた第２面ファスナ４３とを備え（同図（ａ）参照）、カセットボンベＣ４に巻付用布４２を巻き付けた状態で第２面ファスナ４３を第１面ファスナ４１に係合させることで、カセットボンベＣ４を固定するものである（同図（ｂ）参照）。ここで、巻付用布４２は、カセットボンベＣ４の全周または略全周を周回可能な平面サイズを有する矩形状の布であり、４辺のうち１辺（一端部）のみをケース本体２の起立壁部２３（上述の窓部２８を設けた起立壁部２３）の下端に縫製処理等の適宜の手段で固定した固定端部（図２に示す固定ライン４２Ｌ）に設定したものである。したがって、巻付用布４２のうち固定端部４２Ｌを除く部分は、固定されていない自由領域である。本実施形態では、巻付用布４２のうち固定端部４２Ｌに相対する端部（他端部）に沿って第２面ファスナ４３を設けている。
【００１９】
このようなカセットコンロ収納ケース１にカセットコンロＣを収納する処理は以下の通りである。なお、カセットコンロＣは、図３に示すように、上面に露出している燃焼部Ｃ１を備えたカセットコンロ本体Ｃ２のうち側部にボンベ収容部Ｃ３が設けられ、ボンベ収容部Ｃ３に収容したカセットボンベＣ４から燃焼部Ｃ１のバーナに可燃性ガスが供給されて、燃焼部Ｃ１でガスを燃焼するように構成された調理用加熱器である。
【００２０】
先ず、蓋部２１によって内部空間２Ｓを閉じた状態から内部空間２Ｓを上方に開放した状態にする。この操作は、蓋部２１の３辺に沿って設けたファスナライン２７Ｌを全て開ける（ファスナ２７の噛合状態を解除する）操作である。次に、上方に開放された内部空間２Ｓのうち、カセットボンベ収容スペース２Ｓｂに配置されている巻付用布４２の上にカセットボンベＣ４を置き、巻付用布４２でカセットボンベＣ４を巻いて巻付用布４２の自由端部に設けた第２面ファスナ４３を第１面ファスナ４１に係合させて留める。これにより、カセットボンベＣ４は、ケース本体２のうち窓部２８を設けた起立壁部２３に寄せた状態で固定される。続いて、ケース本体２の内部空間２Ｓのうち、カセットボンベＣ４に占有されていない空間に、カセットボンベＣ４をセットしていないカセットコンロ本体Ｃ２を置き、図４に示すベルト５（バックル等の適宜の留め具で固定可能なベルト５）でカセットコンロ本体Ｃ２をケース本体２の底面（底部２２）側に押圧した状態で固定する。最後に、蓋部２１の３辺に沿って設けたファスナライン２７Ｌを全て閉じて（ファスナ２７を噛合させて）、内部空間２Ｓを蓋部２１で閉じた状態にする。なお、図４では、内部空間２Ｓを蓋部２１で閉じた状態にあるケース本体２を示し、内部空間２Ｓにおけるベルト５の形態を模式的に示し、内部空間２Ｓにおける他のパーツは省略している。
【００２１】
以上の手順によって、カセットコンロ収納ケース１にカセットコンロＣを収納することができる。このようなカセットコンロ収納ケース１は、縦置き姿勢（例えば起立壁部２３,２４,２５,２６のうち図２に示す起立壁部２６を底面とする姿勢であり、窓部２８をユーザが正面から視認可能な姿勢）または平置き姿勢（図１に示す姿勢、つまり底部２２を底面とする姿勢）の何れであっても安定した状態で当該姿勢を維持することができる。なお、カセットコンロ収納ケース１からカセットコンロＣを取り出す際は、上述とは逆の手順を経ることで容易にカセットコンロ本体Ｃ２及びカセットボンベＣ４をそれぞれの収納スペース（カセットコンロ本体収容スペース２Ｓａ、カセットボンベ収容スペース２Ｓｂ）から取り出すことができる。また、縦置き姿勢の状態において底面となる起立壁部２６に図示しない複数の底鋲をバランスよく設けておくことで、縦置き姿勢の安定性向上等を図ることができる。
【００２２】
このように、本実施形態に係るカセットコンロ収納ケース１によれば、ケース本体２の内部空間２Ｓにカセットコンロ本体Ｃ２とカセットボンベＣ４とを別々のスペース（カセットコンロ本体収容スペース２Ｓａ、カセットボンベ収容スペース２Ｓｂ）に収容することができ、カセットコンロ本体Ｃ２とカセットボンベＣ４を一緒に収納した状態でカセットコンロＣを持ち運んだり、片付けておくことができる。特に、本考案に係るカセットコンロ収納ケース１によれば、カセットコンロ本体収容スペース２Ｓａとカセットボンベ収容スペース２Ｓｂを専用の仕切り部等によって明確に区別せずに、カセットコンロ本体収容スペース２Ｓａを比較的余裕のある空間に設定することで、カセットコンロ本体収容スペース２Ｓａに収容可能なカセットコンロ本体Ｃ２の種類が１種類に特定されず、特定のカセットコンロのみを収容可能な専用ケースと比較して、汎用性が高い。
【００２３】
さらに、本実施形態に係るカセットコンロ収納ケース１は、カセットボンベ収容スペース２ＳｂにおいてカセットボンベＣ４の周囲に巻付具（巻付用布４２）を巻き付けた状態で固定可能なカセットボンベ固定部４を備えているため、カセットボンベＣ４がケース本体２の内部空間２Ｓにおいて転がらない状態で固定することができ、収納状態におけるカセットボンベＣ４の安全性の確保という面においても優れている。
【００２４】
特に、本実施形態では、カセットボンベ固定部４として、ケース本体２の側面（起立壁部２３）に設けた第１面ファスナ４１と、ケース本体２の底面（底部２２）のうちカセットボンベ収容スペース２Ｓｂに配置され且つケース本体２の側面（起立壁部２３）の下端に一端部のみが固定された巻付用布４２と、巻付用布４２のうち自由端である他端側に設けた第２面ファスナ４３とを備え、巻付用布４２によってカセットボンベＣ４の外周面のうち窓部２８に接触または近接する領域を除く全域または略全域を巻き付けた状態で第２面ファスナ４３を第１面ファスナ４１に係合可能なものを適用しているため、簡単な構成でありながらカセットボンベＣ４に巻き付けた状態にある巻付用布４２を面ファスナ４１,４３同士の係合によってケース本体２の側面（起立壁部２３）に固定することができるとともに、面ファスナ４１,４３同士の係合を解除することでカセットボンベＣ４に対する巻付用布４２の巻付状態も容易に解除することができ、カセットボンベＣ４の収容作業及び取出作業を容易且つスムーズに行うことができる。
【００２５】
また、本実施形態に係るカセットコンロ収納ケース１では、カセットコンロ本体収容スペース２Ｓａにおいてカセットコンロ本体Ｃ２を巻き付けた状態で固定可能なベルト５がカセットコンロ本体固定部として機能し、カセットコンロ本体Ｃ２がケース本体２の内部空間２Ｓにおいてがたつく事態を防止・抑制し、良好な収納状態を維持することができる。
【００２６】
加えて、本実施形態に係るカセットコンロ収納ケース１によれば、カセットボンベ固定部４で固定したカセットボンベＣ４を外部から視認可能な窓部２８をケース本体２に設けているため、ユーザは、窓部２８を覗くことで、カセットボンベＣ４がケース内に収納されているか否かを把握することができる。
【００２７】
このように、本実施形態によれば、ケース本体２の内部空間２Ｓに設定したカセットコンロ本体収容スペース２Ｓａとカセットボンベ収容スペース２Ｓｂにそれぞれカセットコンロ本体Ｃ２とカセットボンベＣ４を収容することが可能であり、カセットコンロ本体Ｃ２をカセットボンベＣ４と共に安全な状態で収容可能なカセットコンロ収納ケース１を提供することができる。
【００２８】
なお、本考案は上述した実施形態に限定されるものではない。例えば、カセットボンベ固定部が、巻付具として、巻付用布に代えて、または巻付用布と併用してベルトまたは紐を適用したものであってもよい。巻付具の数は１本以上であればよく複数本であっても構わない。
【００２９】
また、本考案のカセットコンロ収納ケースでは、カセットボンベ固定部によって固定したカセットボンベを外部から視認可能な位置に設ける窓部とは別に、ケース本体の適宜箇所に窓部を設けた構成を採用することもできる。一方、窓部を一切設けていない構成も本考案に含まれる。
【００３０】
ケース本体を樹脂製にしたり、ケース本体の蓋部をファスナ以外の係合手段または固定手段によってケース本体の内部空間を閉じた状態と開放した状態との間で切替可能に構成することもできる。
【００３１】
その他、各部の具体的構成についても上記実施形態に限られるものではなく、本考案の趣旨を逸脱しない範囲で種々変形が可能である。
【符号の説明】
【００３２】
１…カセットコンロ収納ケース
２…ケース本体
２８…窓部
２Ｓ…内部空間
２Ｓａ…カセットコンロ本体収容スペース
２Ｓｂ…カセットボンベ収容スペース
４…カセットボンベ固定部
４１…第１面ファスナ
４２…巻付具（巻付用布）
４３…第２面ファスナ
【図１】
0003226147.tif 000003
【図２】
0003226147.tif 000004
【図３】
0003226147.tif 000005
【図４】
0003226147.tif 000006